(57)【要約】【課題】フィルタを有する電気機器であっても、フィルタの掃除や交換を簡単に行うことができるとともに外郭カバーを簡単に掃除することができる電気機器を提供する。【解決手段】電気機器の一例である照明器具１は、器具本体１００と、器具本体１００の内部空間と空間的につながる第１のカバー通気孔３１０を有し、着脱自在に器具本体１００に取り付けられた外郭カバー３００と、第１のカバー通気孔３１０を覆うように、着脱自在に外郭カバー３００の内側に取り付けられたフィルタ３５０とを備える。【選択図】図７
2018133256.tif 000002
【特許請求の範囲】
【請求項１】
器具本体と、
前記器具本体の内部空間と空間的につながる第１のカバー通気孔を有し、着脱自在に前記器具本体に取り付けられた外郭カバーと、
前記第１のカバー通気孔を覆うように、着脱自在に前記外郭カバーの内側に取り付けられたフィルタとを備える、
電気機器。
【請求項２】
前記器具本体は、前記フィルタを介して前記第１のカバー通気孔と連通する第１の本体通気孔を有し、
前記外郭カバーの外部空間と前記器具本体の内部空間とは、前記第１のカバー通気孔、前記フィルタ及び前記第１の本体通気孔を介して空間的につながっている、
請求項１に記載の電気機器。
【請求項３】
前記電気機器は、光源を有する照明器具であり、
前記器具本体は、前記光源部を支持する支持部と、前記支持部の周縁から立設する側壁部とを有する支持本体を有し、
前記第１の本体通気孔は、前記側壁部に設けられている、
請求項２に記載の電気機器。
【請求項４】
前記第１のカバー通気孔及び前記第１の本体通気孔は、外気を吸い込む吸込口である、
請求項３に記載の電気機器。
【請求項５】
前記外郭カバーは、第２のカバー通気孔を有し、
前記側壁部は、第２の本体通気孔を有し、
前記器具本体は、さらに、イオンを生成するイオン生成ユニットと、送風ファンとを有し、
前記送風ファンは、前記フィルタを介して前記第１のカバー通気孔及び前記第１の本体通気孔から外気を吸引するとともに、前記イオン生成ユニットにより生成されたイオンを前記第２の本体通気孔及び前記第２のカバー通気孔を介して前記器具本体の外部に送風する、
請求項４に記載の電気機器。
【請求項６】
前記外郭カバーには、前記第１のカバー通気孔と連続する溝部が形成されている、
請求項１〜５のいずれか１項に記載の電気機器。
【請求項７】
前記フィルタは、複数の開口を有する格子状の枠体と、前記枠体の複数の開口を覆うメッシュフィルタとを有し、
前記枠体は、前記外郭カバーにおける前記第１のカバー通気孔が形成されていない部分と重なっている、
請求項１〜６のいずれか１項に記載の電気機器。
【請求項８】
前記電気機器は、スピーカであり、
前記器具本体は、音声出力部を有する、
請求項１又は２に記載の電気機器。
【発明の詳細な説明】
【技術分野】
【０００１】
本発明は、照明器具等の電気機器に関する。
【背景技術】
【０００２】
従来、照明器具等の様々な電気機器が知られている。例えば、照明器具の一つとして、室内の脱臭又は除菌等を行うために、イオン放出機能を備えたシーリングライトが知られている（特許文献１）。
【０００３】
イオン放出機能を備えた照明器具は、例えば、器具本体と、器具本体に配置された光源と、イオンを生成するイオン生成ユニットと、イオン生成ユニットにより生成されたイオンを外部に送風する送風ファンと、器具本体の周囲を囲む外郭カバーとを備える。イオン生成ユニット及び送風ファンは、器具本体内に配置されている。このため、器具本体及び外郭カバーには、吸込口となる通気孔と吹出口となる通気孔とが設けられている。
【０００４】
イオン放出機能を備えた照明器具では、室内の空気が、送風ファンによって吸込口から外郭カバーを介して器具本体の内部に吸い込まれる。器具本体の内部に吸い込まれた空気は、送風ファンによって、イオン生成ユニットにより発生したイオンとともに器具本体及び外郭カバーの吹出口から室内に向けて吹き出される。
【先行技術文献】
【特許文献】
【０００５】
【特許文献１】特開２０１０−２９５５２号公報
【発明の概要】
【発明が解決しようとする課題】
【０００６】
イオン放出機能を備えた照明器具では、器具本体内に埃塵が進入することを抑制するために、吸込口にフィルタが配置される。この場合、フィルタは外観から目立たないように配置されていることが望ましい。このため、フィルタは、外郭カバーの内側に配置することが考えられる。
【０００７】
しかしながら、フィルタには塵埃が蓄積されていくので、フィルタを定期的に掃除してフィルタに溜まった塵埃を除去したりフィルタを交換したりする必要があるが、フィルタを外郭カバーの内側に配置すると、フィルタを掃除する際にフィルタを外しにくいという課題がある。
【０００８】
特に、天井に設置された照明器具はユーザの手が簡単に届くところにはないことが多いので、照明器具からフィルタを簡単に外すことができず、フィルタの掃除や交換が容易ではない。
【０００９】
しかも、フィルタが配置される外郭カバーにも通気孔（吸込口）があるので、外郭カバーにも塵埃が蓄積されやすい。このため、外郭カバーも定期的に掃除をする必要があるが、天井に設置された照明器具では、照明器具から外郭カバーを簡単に外すことができない。
【００１０】
本発明は、このような課題に鑑みてなされたものであり、フィルタを有する電気機器であっても、フィルタの掃除や交換を簡単に行うことができるとともに外郭カバーを簡単に掃除することができる電気機器を提供することを目的とする。
【課題を解決するための手段】
【００１１】
上記目的を達成するために、本発明に係る電気機器の一態様は、器具本体と、前記器具本体の内部空間と空間的につながる第１のカバー通気孔を有し、着脱自在に前記器具本体に取り付けられた外郭カバーと、前記第１のカバー通気孔を覆うように、着脱自在に前記外郭カバーの内側に取り付けられたフィルタとを備える。
【発明の効果】
【００１２】
フィルタを有する電気機器であっても、器具本体から外郭カバーを外すだけで、フィルタの掃除や交換を簡単に行うことができるとともに外郭カバーを簡単に掃除することができる。
【図面の簡単な説明】
【００１３】
【図１】実施の形態１に係る照明器具を床面側から見たときの外観を示す斜視図である。
【図２】実施の形態１に係る照明器具の一部を分解したときに床面側から見たときの斜視図である。
【図３】実施の形態１に係る照明器具の一部を分解したときに床面側とは反対側から見たときの斜視図である。
【図４】実施の形態１に係る照明器具の全体を分解したときの斜視図である。
【図５】図６のＶ−Ｖ線における実施の形態１に係る照明器具の断面図である。
【図６】図５のＶＩ−ＶＩ線における実施の形態１に係る照明器具の断面図である。
【図７】実施の形態１に係る照明器具から外郭カバー及びフィルタを外した状態を示す図である。
【図８】実施の形態に係る照明器具において、器具本体に外郭カバーが取り付けられた状態を示す図である。
【図９】実施の形態に係る照明器具における外郭カバー及びフィルタの取り外し方法において、外郭カバーを水平回転させるときの様子を示す図である。
【図１０】実施の形態に係る照明器具における外郭カバー及びフィルタの取り外し方法において、外郭カバーを鉛直方向に移動させるときの様子を示す図である
【図１１】実施の形態に係る照明器具における外郭カバー及びフィルタの取り外し方法において、外郭カバーからフィルタを取り外すときの様子を示す図である
【発明を実施するための形態】
【００１４】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１５】
各図は、模式図であり、必ずしも厳密に図示されたものではない。各図において、実質的に同一の構成に対しては同一の符号を付しており、重複する説明は省略又は簡略化される場合がある。
【００１６】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１７】
（実施の形態１）
［照明器具の全体構成］
以下、電気機器の一例として、実施の形態１に係る照明器具１について説明する。まず、実施の形態１に係る照明器具１の構成について、図１〜図８を用いて説明する。
【００１８】
図１は、実施の形態１に係る照明器具１を床面側から見たときの外観を示す斜視図である。図２及び図３は、同照明器具１の一部を分解して示す斜視図であり、それぞれ、床面側から見たときと、床面側とは反対側から見たときの照明器具１を示している。図４は、同照明器具１の全体を分解して示す斜視図である。図５は、図６のＶ−Ｖ線における同照明器具１の断面図である。図６は、図５のＶＩ−ＶＩ線における同照明器具１の断面図である。図７は、同照明器具１から外郭カバー３００及びフィルタ３５０を外した状態を示す図である。なお、図５及び図６では、照明器具１の断面部分のみを示している。
【００１９】
照明器具１は、例えば、住宅や店舗等の建物の天井又は壁等の造営材に配設される照明装置であり、室内等の空間領域を明るくするために照明光を照射する。照明器具１は、例えば、玄関、シューズクローク、ウォーキングクローゼット、トイレ又は階段の踊り場等の天井又は壁面に設置される。図１に示すように、本実施の形態における照明器具１は、天井２に設置されるシーリングライトである。具体的には、照明器具１は、天井２の天井面２ａに直付けで設置される。
【００２０】
また、照明器具１は、イオン放出機能を備えたシーリングライトである。つまり、照明器具１は、室内等の空間領域を照明する機能を有するだけではなく、当該空間領域にイオンを放出することにより脱臭・消臭及び除菌する機能を有する。したがって、照明器具１は、特にトイレ等の臭いが気になる箇所に設置されるとよい。
【００２１】
図１〜図７に示すように、照明器具１は、器具本体１００と、取付部材２００と、外郭カバー３００と、外郭カバー３００の内側に取り付けられたフィルタ３５０とを備える。
【００２２】
以下、本実施の形態における照明器具１の各構成部材について、図１〜図７を参照しながら詳細に説明する。
【００２３】
［器具本体］
器具本体１００は、照明光を照射する灯体（灯具）として機能するとともに、イオンを放出するイオン放出体としても機能する。具体的には、図１〜図８に示すように、器具本体１００は、支持本体１１０と、光源１２０と、第１駆動ユニット１３０と、センサユニット１４０と、透光カバー１５０と、イオン生成ユニット１６０と、送風ユニット１７０と、第２駆動ユニット１８０と、電源端子台１９０とを有する。
【００２４】
器具本体１００において、光源１２０、第１駆動ユニット１３０、センサユニット１４０及び透光カバー１５０は、照明光を照射する照明ユニットを構成している。また、器具本体１００において、イオン生成ユニット１６０、送風ユニット１７０及び第２駆動ユニット１８０は、イオンを放出するイオン放出ユニットを構成している。
【００２５】
［支持本体］
支持本体１１０は、光源１２０、第１駆動ユニット１３０、センサユニット１４０、透光カバー１５０、イオン生成ユニット１６０、送風ユニット１７０、第２駆動ユニット１８０及び電源端子台１９０を支持している。支持本体１１０は、例えばアルミニウム等の金属材料によって構成されている。例えば、支持本体１１０は、樹脂成型品であってもよいし、ダイカスト製又は板金製の金属品であってもよい。
【００２６】
図２〜図６に示すように、支持本体１１０は、光源１２０を支持する支持部１１１と、支持部１１１の周縁から立設する側壁部１１２とを有する。
【００２７】
支持部１１１の平面視形状は円形である。支持部１１１の中央部には、天井２側に凸となるように凹んだ凹部１１１ａが形成されており、この凹部１１１ａに光源１２０が配置されている。つまり、光源１２０は、支持本体１１０の床面側に配置される。また、支持部１１１には、センサユニット１４０を取り付けるための開口１１１ｂが形成されている。
【００２８】
側壁部１１２は、円形の支持部１１１の周縁に沿って形成されている。側壁部１１２は、支持部１１１の周縁全周に形成されていてもよいが、本実施の形態では、支持部１１１の周縁全周のうちの一部に切り欠きが形成されている。具体的には、側壁部１１２の平面視形状は略Ｃ字状である。
【００２９】
図２〜図５に示すように、側壁部１１２には、貫通孔１１３、第１ネジ孔１１４ａ、第２ネジ孔１１４ｂ、第１の本体通気孔１１５ａ、第２の本体通気孔１１５ｂ、及び、第３の本体通気孔１１５ｃが設けられている。
【００３０】
貫通孔１１３には、取付部材２００の引っ掛け部２０１が引っ掛けられている。図２に示すように、本実施の形態において、貫通孔１１３は、矩形状の横に長い１本のスリット孔（スリット開口）である。
【００３１】
第１ネジ孔１１４ａには、第１ネジ１１６ａが挿入される。第２ネジ孔１１４ｂには、第２ネジ１１６ｂが挿入される。第１ネジ孔１１４ａと第２ネジ孔１１４ｂとは、器具本体１００の中心を挟んで対向するように、側壁部１１２の周方向に沿って１８０°間隔で設けられている。
【００３２】
図４及び図６に示すように、第１の本体通気孔１１５ａは、空気（外気）を支持本体１１０の内部に吸い込むための吸込口（吸気口）である。本実施の形態において、第１の本体通気孔１１５ａは、側壁部１１２を矩形状に切り欠くように形成されている。つまり、第１の本体通気孔１１５ａは、側壁部１１２が存在しない部分である。
【００３３】
図４及び図６に示すように、第２の本体通気孔１１５ｂは、空気（内気）を支持本体１１０から外部に吹き出すための吹出口（排気口）である。第２の本体通気孔１１５ｂは、側壁部１１２に形成された矩形状の開口である。
【００３４】
図４及び図６に示すように、第３の本体通気孔１１５ｃは、イオン生成ユニット１６０により生成されたマイナスイオンを支持本体１１０の外部に放出するため吹出口である。第３の本体通気孔１１５ｃは、側壁部１１２に形成された矩形状の開口である。
【００３５】
第１の本体通気孔１１５ａ、第２の本体通気孔１１５ｂ、及び、第３の本体通気孔１１５ｃは、側壁部１１２の周方向に沿って互いに隣接して配置されている。
【００３６】
また、図２及び図３に示すように、支持本体１１０の外面には、３つのガイド溝１１７が設けられている。具体的には、３つのガイド溝１１７は、支持本体１１０の側壁部１１２に設けられている。３つのガイド溝１１７は、支持本体１１０の中心にして支持本体１１０（側壁部１１２）の周方向に沿って１２０°間隔で設けられている。各ガイド溝１１７は、全体として略Ｌ字形状であり、Ｚ軸方向に延在する第１ガイド部１１７ａと支持本体１１０の周方向に延在する第２ガイド部１１７ｂとを有する。各ガイド溝１１７には、外郭カバー３００に設けられた突起３４０が摺動してガイドされて係止する。第１ガイド部１１７ａは、外郭カバー３００を垂直移動させるために、突起３４０を垂直方向に摺動するようにガイドするガイド部である。第２ガイド部１１７ｂは、外郭カバー３００を水平回転させるために、突起３４０を周方向に摺動するようにガイドするガイド部である。
【００３７】
［照明ユニット］
図２〜図６に示すように、光源１２０、第１駆動ユニット１３０、センサユニット１４０及び透光カバー１５０で構成される照明ユニットは、照明器具１が設置された空間領域に照明光を照射させる機能を有する。
【００３８】
光源１２０は、照明光を照射する照明用光源である。光源１２０は、照明器具１の光源部となる光源モジュールであり、照明器具１が空間領域を照らすための照明光として、例えば白色光を発する。本実施の形態において、光源１２０は、発光素子としてＬＥＤ（Ｌｉｇｈｔ  Ｅｍｉｔｔｉｎｇ  Ｄｉｏｄｅ）を用いたＬＥＤモジュールである。一例として、光源１２０は、ＣＯＢ（Ｃｈｉｐ  Ｏｎ  Ｂｏａｒｄ）タイプであり、基板と、基板に直接実装された複数のＬＥＤチップと、ＬＥＤチップを封止する封止部材とを有する。
【００３９】
光源１２０の基板としては、セラミックス基板、樹脂基板又はメタルベース基板等が用いられる。ＬＥＤチップは、例えば、単色の可視光を発するベアチップである。ＬＥＤチップとしては、通電されれば青色光を発する青色ＬＥＤチップである。封止部材は、例えば透光性樹脂である。本実施の形態における封止部材は、ＬＥＤチップからの光を波長変換する波長変換材として蛍光体を含んでいる。封止部材は、例えば、シリコーン樹脂に蛍光体を分散させた蛍光体含有樹脂である。蛍光体粒子としては、ＬＥＤチップが青色ＬＥＤチップである場合、白色光を得るために、例えばＹＡＧ系の黄色蛍光体を用いることができる。本実施の形態において、封止部材は、全てのＬＥＤチップを一括封止するように円形状に形成されているが、複数のＬＥＤチップを列ごとにライン状に封止してもよいし、各ＬＥＤチップを１つずつ個別に封止してもよい。
【００４０】
この場合、光源１２０では、第１駆動ユニット１３０から供給される直流電力によって青色ＬＥＤチップが発光する。これにより、青色ＬＥＤチップの青色光の一部を黄色蛍光体が吸収して励起されて黄色蛍光体から黄色光が放出される。そして、この黄色光と黄色蛍光体に吸収されなかった青色光とが混ざって白色光となり、光源１２０からは白色光が放出される。なお、封止部材には、赤色蛍光体及び緑色蛍光体が含有されていてもよい。また、光源１２０は、調光・調色可能な構造を有していてもよい。
【００４１】
図４に示すように、光源１２０は、支持本体１１０の支持部１１１の凹部１１１ａに放熱シート１２１を介して取り付けられている。光源１２０は、ホルダ１２２によって支持本体１１０に固定されている。ホルダ１２２は、例えば白色樹脂材料等で形成されており、光源１２０からの光を反射する反射板としても機能する。また、光源１２０は、光源１２０にユーザが触れないようにするための保護カバー１２３により覆われている。保護カバー１２３は、例えば透光性材料によって形成されており、光源１２０から出射する光を透過する。保護カバー１２３は、支持部１１１の凹部１１１ａ全体を覆うようにして支持部１１１に取り付けられている。
【００４２】
第１駆動ユニット１３０は、光源１２０を駆動する。具体的には、第１駆動ユニット１３０は、照明用の電源・制御ユニットであり、光源１２０を発光させるための電力を生成する電源機能と、光源１２０の照明態様（発光状態）を制御する制御機能とを有する。
【００４３】
第１駆動ユニット１３０は、例えば、電源端子台１９０から供給される交流電力を直流電力に変換し、この直流電力が光源１２０に供給されることで光源１２０が発光する。なお、第１駆動ユニット１３０は、Ｈ端子、Ｎ端子及びＬＯＤ端子を有している。Ｈ端子及びＮ端子は、電源端子台１９０に接続されており、電源端子台１９０から第１駆動ユニット１３０に供給される交流電力はＨ端子及びＮ端子に入力される。ＬＯＤ端子は、第２駆動ユニット１８０に接続されている。
【００４４】
また、第１駆動ユニット１３０は、光源１２０の調光制御又は調色制御を行ったり光源１２０の点滅・フラッシュ点灯制御を行ったりすることで光源１２０の照明態様を変更する。
【００４５】
第１駆動ユニット１３０は、支持本体１１０の支持部１１１の天井側の面に固定されている。第１駆動ユニット１３０は、基板と、基板に実装された複数の回路素子とを有する。基板に実装された複数の回路素子は、図４に示されるケース１３０ａに収納されている。
【００４６】
第１駆動ユニット１３０において、複数の回路素子には、光源１２０を発光させるための電力を生成する電源回路を構成する電源回路素子と、光源１２０の照明態様を制御する制御回路を構成する制御回路素子とが含まれる。電源回路及び制御回路は、電源端子台１９０及び電線４００を介して系統電源（不図示）と電気的に接続されている。
【００４７】
第１駆動ユニット１３０の電源回路は、例えば、電線４００を介して供給されてきた商用の交流電力を直流電力に変換する。この電源回路で生成された直流電力が光源１２０に供給されることにより、光源１２０が発光する。また、第１駆動ユニット１３０の制御回路は、センサユニット１４０の各検知結果に基づいて、光源１２０の照明態様を制御する。
【００４８】
図２に示すように、センサユニット１４０は、例えば、人感センサ１４１、照度センサ１４２、表示用光源１４３及び操作つまみ１４４を有する。人感センサ１４１及び照度センサ１４２は、ケース１４０ａに収納されている。図４に示すように、センサユニット１４０は、支持本体１１０の支持部１１１の開口１１１ｂに配置されている。
【００４９】
人感センサ１４１は、照明器具１の周囲における人の存在の有無を検知するためのセンサである。照度センサ１４２は、照明器具１の周囲の光照度を検知するためのセンサである。
【００５０】
表示用光源１４３は、イオン生成ユニット１６０の動作状態を示す動作表示態様で発光する。つまり、表示用光源１４３は、イオン生成ユニット１６０の動作状態を示すインジケータである。具体的には、表示用光源１４３は、照明器具１によるイオンの放出有無が分かるように発光する。例えば、表示用光源１４３は、イオン生成ユニット１６０が正常に動作している場合、第２駆動ユニット１８０から供給される電力によって、例えば青色又は緑色等に発光する。
【００５１】
操作つまみ１４４は、光源１２０の点灯保持時間を調節するための回転式つまみである。操作つまみ１４４は、透光カバー１５０の貫通孔を通して照明器具１の外部に露出されている。
【００５２】
透光カバー１５０は、光源１２０からの光を透過する。図５に示すように、透光カバー１５０は、支持本体１１０の支持部１１１の全体を覆うように略ドーム状に形成されている。透光カバー１５０は、支持本体１１０に取り付けられている。また、本実施の形態において、透光カバー１５０は、光拡散性を有する拡散カバーであり、光源１２０からの光を拡散（散乱）させる。
【００５３】
透光カバー１５０に光拡散性を持たせる場合、透光性樹脂材料に光反射微粒子等の光拡散材を分散させて透光カバー１５０を作製したり、透明部材からなる透光カバー１５０の表面（内面又は外面）に光拡散材等を含む乳白色の光拡散膜を形成したりすることで、透光カバー１５０に光拡散性を持たせることができる。あるいは、光拡散材を用いるのではなく、シボ加工処理等によって透明部材からなる透光カバー１５０の表面に微小凹凸（プリズム等）を形成したり、透明部材からなる透光カバー１５０の表面にドットパターンを印刷したりすることで、透光カバー１５０に光拡散性を持たせてもよい。
拡散カバーである。
【００５４】
［イオン放出ユニット］
図６に示すように、イオン生成ユニット１６０、送風ユニット１７０及び第２駆動ユニット１８０で構成されるイオン放出ユニットは、照明器具１が設置された空間領域にイオンを放出させる機能を有する。イオン放出ユニットからイオンを一定時間放出させることによって、空間領域を脱臭・消臭したり、アレルゲンやウイルス等を不活化したり、空間領域内のカビや細菌等を除菌したりできる。
【００５５】
イオン生成ユニット１６０は、イオンを生成するためのイオン生成器である。本実施の形態では、イオン生成ユニット１６０は、マイナスイオンとしてナノイーを生成する。具体的には、イオン生成ユニット１６０は、水補給レスでナノイーを生成する。この場合、イオン生成ユニット１６０は、例えば、針状放電極と、針状放電極に高電圧（例えば、約６０００Ｖ）を印加する高電圧発生回路と、針状放電極を冷却するペルチェ素子とを有するイオン発生部を有する。針状放電極は、ペルチェ素子のペルチェ効果によって冷却されることにより結露する。高電圧発生回路が針状放電極に結露した空気中の水分に高電圧を印加することにより、霧化したナノイーを発生させることができる。
【００５６】
送風ユニット１７０は、イオン生成ユニット１６０により生成されたイオンを器具本体１００の外部に送風する送風ファン１７１（送風機）を有する。具体的には、送風ファン１７１は、イオン生成ユニット１６０で生成されたイオンを照明器具１の外部に拡散させるための気流を発生させるためのものである。つまり、送風ファン１７１は、イオン生成ユニット１６０で生成されたイオンの拡散を送風によってアシストする。送風ファン１７１は、例えば、ケーシングとケーシング内に配置された羽根車と羽根車を回転させるモータとを有しており、照明器具１の外部の空気（外気）を吸い込んで吐き出す。
【００５７】
第２駆動ユニット１８０は、イオン生成ユニット１６０及び送風ユニット１７０を駆動する。具体的には、第２駆動ユニット１８０は、イオン生成ユニット１６０及び送風ユニット１７０を動作させるための電力を生成する電源機能と、イオン生成ユニット１６０及び送風ユニット１７０を制御する制御機能とを有する。
【００５８】
また、第２駆動ユニット１８０は、表示用光源１４３を発光させるための電力を表示用光源１４３に供給する。具体的には、第２駆動ユニット１８０は、電源端子台１９０の一方の端子及び第１駆動ユニット１３０のＬＯＤ端子から供給される交流電力を直流電力に変換し、この直流電力が表示用光源１４３に供給されることで表示用光源１４３が発光する。
【００５９】
また、第２駆動ユニット１８０は、イオン生成ユニット１６０及び送風ユニット１７０を制御する。例えば、第２駆動ユニット１８０は、イオン生成ユニット１６０及び送風ユニット１７０の運転開始及び運転停止（つまり、イオンの放出時間）の制御を行ったり、イオン生成ユニット１６０から放出されるイオンの量の制御を行ったりする。
【００６０】
第２駆動ユニット１８０は、基板と、基板に実装された複数の回路素子とを有する。第２駆動ユニット１８０において、複数の回路素子には、イオン生成ユニット１６０及び送風ユニット１７０を駆動させるための駆動回路を構成する駆動回路素子が含まれる。この駆動回路素子には、イオン生成ユニット１６０及び送風ユニット１７０を動作させるための電力を生成する電源回路を構成する電源回路素子と、イオン生成ユニット１６０及び送風ユニット１７０を制御するための制御回路を構成する制御回路素子とが含まれる。
【００６１】
また、第２駆動ユニット１８０を構成する複数の回路素子には、表示用光源１４３を発光させるための電力を生成する電源回路を構成する電源回路素子と、表示用光源１４３の照明態様を制御する制御回路を構成する制御回路素子とが含まれている。
【００６２】
イオン生成ユニット１６０、送風ユニット１７０及び第２駆動ユニット１８０は、図４に示されるケース１６０ａに収納されている。ケース１６０ａは、例えば樹脂材料等によって形成されている。
【００６３】
図２〜図６に示すように、ケース１６０ａの側面には、第１のケース通気孔１６１ａ、第２のケース通気孔１６１ｂ、及び、第３のケース通気孔１６１ｃが設けられている。
【００６４】
第１のケース通気孔１６１ａは、空気（外気）をケース１６０ａの内部に吸い込むための吸込口である。図２及び図４に示すように、本実施の形態において、第１のケース通気孔１６１ａは、ケース１６０ａの側壁に形成された格子枠の複数の開口によって構成されている。図２及び図６に示すように、第１のケース通気孔１６１ａは、支持本体１１０に設けられた第１の本体通気孔１１５ａに対向する位置に設けられている。
【００６５】
第２のケース通気孔１６１ｂは、空気をケース１６０ａの外部に吹き出すための吹出口である。図４に示すように、第２のケース通気孔１６１ｂは、ケース１６０ａの側壁に形成された矩形状の開口である。図２及び図６に示すように、第２のケース通気孔１６１ｂは、支持本体１１０に設けられた第２の本体通気孔１１５ｂに対向する位置に設けられている。
【００６６】
第３のケース通気孔１６１ｃは、イオン生成ユニット１６０により生成されたイオンをケース１６０ａの外部に放出するため吹出口である。図４に示すように、第３のケース通気孔１６１ｃは、ケース１６０ａの側壁に形成された矩形状の開口である。図２及び図６に示すように、第３のケース通気孔１６１ｃは、支持本体１１０に設けられた第３の本体通気孔１１５ｃに対向する位置に設けられている。
【００６７】
図４及び図６に示すように、第１のケース通気孔１６１ａ、第２のケース通気孔１６１ｂ、及び、第３のケース通気孔１６１ｃは、ケース１６０ａの周方向に沿って互いに隣接して配置されている。
【００６８】
図３に示すように、電源端子台１９０は、ＶＶＦケーブル等の電線４００によって系統電源（商用交流電源）に接続されている。電源端子台１９０は、照明器具１が系統電源から電力供給を受けるための中継器として機能し、照明器具１と系統電源との間の電力経路に配置される。つまり、照明器具１は、電源端子台１９０を介して系統電源から電力供給を受ける。
【００６９】
電源端子台１９０は、第１駆動ユニット１３０とリード線等を介して電気的に接続されている。したがって、電源端子台１９０で受電した交流電力は、リード線等を介して第１駆動ユニット１３０に供給される。
【００７０】
［取付部材］
取付部材２００は、天井２に固定される。本実施の形態において、取付部材２００は、天井２に固定される取付板であり、ネジによって天井面２ａに固定されている。
【００７１】
図２〜図４に示すように、取付部材２００は、金属板からなり、略円板状の平板体２１０と、第１連結片２２１及び第２連結片２２２とによって構成されている。金属板からなる取付部材２００は、鋼板等からなる所定形状の金属板をプレス加工することにより形成することができる。
【００７２】
平板体２１０は、一方の面が天井面２ａに接するように天井２に固定される。平板体２１０の中央部には、天井２の開口２ｂに連通する開口２１０ａが形成されている。開口２１０ａには、天井２から引き出された電線４００（図４参照）が挿通される。
【００７３】
また、平板体２１０には、ネジを挿通するための複数の孔が形成されている。例えば複数の孔の各々にネジを挿通して天井２にネジ込むことにより、取付部材２００を天井２に取り付けることができる。
【００７４】
図５に示すように、第１連結片２２１及び第２連結片２２２は、器具本体１００に連結される。具体的には、第１連結片２２１及び第２連結片２２２は、器具本体１００の支持本体１１０の側壁部１１２に連結される。
【００７５】
図２〜図４に示すように、第１連結片２２１及び第２連結片２２２は、平板体２１０から立設するようにして平板体２１０の端部に設けられている。また、第１連結片２２１及び第２連結片２２２は、対向する位置に設けられている。
【００７６】
図２〜図５に示すように、第１連結片２２１には、引っ掛け部２０１が形成されている。引っ掛け部２０１は、器具本体１００（支持本体１１０）の貫通孔１１３に挿通されて引っ掛けられている。引っ掛け部２０１によって、器具本体１００が片側支点で取付部材２００に回動可能に保持されている。
【００７７】
また、第１連結片２２１には、第１ネジ孔２２０ａが設けられている。第１ネジ孔２２０ａには、第１ネジ１１６ａが挿入される。具体的には、器具本体１００の側壁部１１２の第１ネジ孔１１４ａと取付部材２００の第１ネジ孔２２０ａとに、第１ネジ１１６ａが連通されてねじ込まれる。
【００７８】
第２連結片２２２には、第２ネジ孔２２０ｂが設けられている。第２ネジ孔２２０ｂには、第２ネジ１１６ｂが挿入される。具体的には、器具本体１００の側壁部１１２の第２ネジ孔１１４ｂと、取付部材２００の第２ネジ孔２２０ｂとに、第２ネジ１１６ｂが連通されてねじ込まれる。
【００７９】
［外郭カバー］
図２〜図７に示すように、外郭カバー３００は、器具本体１００の側面を覆う枠状体である。具体的には、外郭カバー３００は、薄肉の略円筒状であり、器具本体１００の支持本体１１０の側壁部１１２を側方から覆っている。外郭カバー３００は、照明器具１の外郭を構成し、化粧カバーとしても機能する。外郭カバー３００は、樹脂材料等によって形成されている。
【００８０】
図２及び図６に示すように、外郭カバー３００の側面には、第１のカバー通気孔３１０と、第２のカバー通気孔３２０とが形成されている。
【００８１】
第１のカバー通気孔３１０は、空気（外気）を外郭カバー３００の内部に吸い込むための吸込口である。第１のカバー通気孔３１０は、器具本体１００の内部空間と空間的につながっている。
【００８２】
第２のカバー通気孔３２０は、空気（内気）を外郭カバー３００から外部に吹き出すための吹出口である。
【００８３】
第１のカバー通気孔３１０及び第２のカバー通気孔３２０の各々は、外郭カバー３００の側壁の周方向に沿って長尺状に延び、且つ、外郭カバー３００の軸方向（Ｚ軸方向）に間隔を置いて配置された複数のスリットとして形成されている。第１のカバー通気孔３１０及び第２のカバー通気孔３２０は、外郭カバー３００の側面の周方向に沿って互いに隣接して配置されている。
【００８４】
第１のカバー通気孔３１０は、外郭カバー３００の側壁のうち、器具本体１００（支持本体１１０）の第１の本体通気孔１１５ａ及び第１のケース通気孔１６１ａに対向する位置に設けられている。
【００８５】
第２のカバー通気孔３２０は、外郭カバー３００の側壁のうち、器具本体１００（支持本体１１０）の第２の本体通気孔１１５ｂ及び第２のケース通気孔１６１ｂに対向する位置と、器具本体１００の第３の本体通気孔１１５ｃ及び第３のケース通気孔１６１ｃに対向する位置とに設けられている。つまり、第２のカバー通気孔３２０は、第２の本体通気孔１１５ｂ（第２のケース通気孔１６１ｂ）から第３の本体通気孔１１５ｃ（第３のケース通気孔１６１ｃ）にわたって、これらを覆うように設けられている。
【００８６】
また、図２に示すように、外郭カバー３００の外側面には、周方向に沿って長尺状に延び、且つ、外郭カバー３００の軸方向（Ｚ軸方向）に間隔を置いて配置された複数の長尺状の溝３３０が形成されている。複数の溝３３０は、第１のカバー通気孔３１０及び第２のカバー通気孔３２０を構成する複数のスリットと連続するように形成されている。
【００８７】
つまり、外郭カバー３００には、図５の右下拡大図に示すように、貫通孔となるスリット（第１のカバー通気孔３１０）が形成された凹凸形状と、図５の左下拡大図に示すように、貫通孔となっていない溝３３０が形成された凹凸形状とが形成されており、外郭カバー３００の側面部の全周には外観上一様な凹凸形状が形成されている。
【００８８】
これにより、溝部３３０と第１のカバー通気孔３１０（第２のカバー通気孔３２０）とが連続して一体となった凹凸形状に見えるので、外郭カバー３００の側面に第１のカバー通気孔３１０及び第２のカバー通気孔３２０が形成されていることを目立たなくすることができる。つまり、ユーザは、外郭カバー３００に貫通孔（第１のカバー通気孔３１０、第２のカバー通気孔３２０）が形成されていることに気が付きにくい。
【００８９】
このように、第１のカバー通気孔３１０及び第２のカバー通気孔３２０に連続する溝部を形成することで、照明器具１の外観上のデザイン性を損なうことなく、第１のカバー通気孔３１０及び第２のカバー通気孔３２０を形成することができる。
【００９０】
また、第１のカバー通気孔３１０及び第２のカバー通気孔３２０をスリットにして断面視で凹凸形状にすることで、上方に配置された照明器具１を見上げたときに、第１のカバー通気孔３１０及び第２のカバー通気孔３２０を見えにくくできる。
【００９１】
このように構成される外郭カバー３００は、器具本体１００に着脱自在に取り付けられている。具体的には、外郭カバー３００は、支持本体１１０の側壁部１１２に着脱自在に取り付けられている。
【００９２】
本実施の形態では、図３及び図４に示すように、外郭カバー３００の内面には３つの突起３４０が設けられており、この３つの突起３４０が、支持本体１１０の外面に設けられた３つのガイド溝１１７に係止することで、外郭カバー３００が器具本体１００に取り付けられている。３つの突起３４０は、外郭カバー３００の中心を挟んで対向するように、外郭カバー３００の周方向に沿って１２０°間隔で設けられているが、突起３４０の数及び突起３４０の並びの間隔は、これに限らない。なお、３つの突起３４０のうち、１つの突起３４０は、２つに分離されている。
【００９３】
また、図３〜図７に示すように、外郭カバー３００の内側には、フィルタ３５０が取り付けられている。フィルタ３５０は、集塵用フィルタである。
【００９４】
フィルタ３５０は、外郭カバー３００の側面の内側に着脱自在に取り付けられている。フィルタ３５０を外郭カバー３００に取り付けておくことで、器具本体１００から外郭カバー３００を取り外すだけで、フィルタ３５０も外郭カバー３００と一体で器具本体１００から取り外すことができる。また、フィルタ３５０を外郭カバー３００に取り付けておくことで、器具本体１００に外郭カバー３００を取り付けるだけで、フィルタ３５０も外郭カバー３００と一体で器具本体１００に取り付けることができる。このとき、フィルタ３５０を外郭カバー３００の内側に取り付けることによって、フィルタ３５０を外観から目立たなくすることができる。
【００９５】
しかも、フィルタ３５０を外郭カバー３００に着脱自在に取り付けることで、外郭カバー３００からフィルタ３５０を簡単に取り外したり、フィルタ３５０を外郭カバー３００に簡単に装着したりできる。したがって、フィルタ３５０の掃除及び交換を容易に行うことができる。
【００９６】
また、フィルタ３５０は、外郭カバー３００の第１のカバー通気孔３１０を覆っている。つまり、フィルタ３５０は、送風ユニット１７０により吸引される外気を吸い込む吸込口を覆っている。これにより、フィルタ３５０には、送風ユニット１７０により吸引される外気が通過する。つまり、フィルタ３５０には、主に室内の空間領域の空気に含まれる塵埃が集塵される。このように、フィルタ３５０に外気を通過させることで、外気に含まれる埃塵をフィルタ３５０に吸着させて空気から塵埃を取り除くことができる。
【００９７】
本実施の形態において、フィルタ３５０は、複数の開口を有する格子状の横長矩形の枠体３５１と、枠体３５１の複数の開口を覆うように枠体３５１に設けられたメッシュフィルタ３５２とを有する。
【００９８】
フィルタ３５０は、外郭カバー３００と、器具本体１００の支持本体１１０との間に配置されている。具体的には、フィルタ３５０は、外郭カバー３００の第１のカバー通気孔３１０と、支持本体１１０（側壁部１１２）の第１の本体通気孔１１５ａとの間に配置されている。第１のカバー通気孔３１０と第１の本体通気孔１１５ａとはフィルタ３５０を介して連通している。つまり、外郭カバー３００の外部空間（室内空間）と器具本体１００の内部空間とは、第１のカバー通気孔３１０、フィルタ３５０及び第１の本体通気孔１１５ａを介して空間的につながっている。これにより、送風ユニット１７０により第１のカバー通気孔３１０を通って吸引される外気がフィルタ３５０を通過する際、外気に含まれる塵埃がフィルタ３５０によって取り除かれる。
【００９９】
なお、本実施の形態において、フィルタ３５０は、吸込口となる第１のカバー通気孔３１０を覆っているが、吹出口となる第２のカバー通気孔３２０を覆っていない。
【０１００】
また、図５の右下拡大図に示すように、フィルタ３５０の枠体３５１（格子部分）は、外郭カバー３００の第１のカバー通気孔３１０と重ならないように配置されている。つまり、フィルタ３５０の枠体３５１は、外郭カバー３００における第１のカバー通気孔３１０が形成されていない部分（枠部分）の裏側に配置されている。つまり、フィルタ３５０の枠体３５１は、外郭カバー３００における第１のカバー通気孔３１０が形成されていない部分に隠されている。これにより、照明器具１の外観のデザイン性を向上させることができる。
【０１０１】
［照明器具の機能］
次に、室内に設置された場合の照明器具１の照明機能及びイオン放出機能の一例について説明する。
【０１０２】
照度センサ１４２によって照明器具１の周囲の照度が閾値よりも低いと判断され、かつ、人感センサ１４１よって人が検知された場合、光源１２０への直流電力の供給を開始することにより、光源１２０が自動的に点灯する。光源１２０からの光は、保護カバー１２３を透過して透光カバー１５０に入射する。透光カバー１５０に入射した光は、透光カバー１５０を透過して室内に照射される。なお、光源１２０への直流電力の供給を開始してから一定時間が経過すると、光源１２０への直流電力の供給が停止して、光源１２０が自動的に消灯する。
【０１０３】
また、送風ユニット１７０の送風ファン１７１が所定方向に回転することにより、室内の空気は、吸込口となる通気孔（第１のカバー通気孔３１０、第１の本体通気孔１１５ａ、第１のケース通気孔１６１ａ）とフィルタ３５０とを通して、器具本体１００の内部に吸い込まれる。つまり、照明器具１の外気が支持本体１１０内に吸い込まれる。このとき、室内の空気に含まれる塵埃はフィルタ３５０で集塵される。
【０１０４】
器具本体１００の内部に吸い込まれた空気は、送風ファン１７１を介して、吹出口となる通気孔（第２のケース通気孔１６１ｂ、第２の本体通気孔１１５ｂ、第２のカバー通気孔３２０）を通して、器具本体１００の外部に吹き出される。つまり、照明器具１の内気が室内に吹き出される。
【０１０５】
本実施の形態では、送風ファン１７１の回転に連動して、イオン生成ユニット１６０によってイオンが生成される。イオン生成ユニット１６０で生成されたイオンは、吹出口となる通気孔（第３のケース通気孔１６１ｃ、第３の本体通気孔１１５ｃ、第２のカバー通気孔３２０）を通して、送風ファン１７１によって送風される空気とともに器具本体１００の外部に吹き出される。つまり、イオン生成ユニット１６０で生成されたイオンは、送風ファン１７１の送風によってアシストされながら照明器具１の外部に吹き出されるので、室内の広い範囲にイオンを拡散させることができる。
【０１０６】
なお、光源１２０を駆動する第１駆動ユニット１３０と、送風ユニット１７０及びイオン生成ユニット１６０を駆動する第２駆動ユニット１８０とは、それぞれ独立して駆動する。すなわち、送風ユニット１７０及びイオン生成ユニット１６０が所定時間（例えば８時間）連続して駆動されている間、送風ユニット１７０及びイオン生成ユニット１６０とは独立して、光源１２０が任意のタイミングで点灯又は消灯してもよい。なお、光源１２０は、照度センサ１４２及び人感センサ１４１による自動点灯及び自動消灯ではなく、壁スイッチ等によりユーザが任意のタイミングで光源１２０を任意のタイミングで点灯又は消灯させてもよい。
【０１０７】
［外郭カバーとフィルタの取り外し方法］
次に、本実施の形態に係る照明器具１における外郭カバー３００及びフィルタ３５０の取り外し方法について、図８〜図１１を用いて説明する。図８〜図１１は、実施の形態に係る照明器具１において、外郭カバー３００及びフィルタ３５０を器具本体１００から取り外し方を説明するための図である。
【０１０８】
図１に示すように、照明器具１は、例えば天井２の天井面２ａに設置されている。図８は、天井２（不図示）に設置された状態の照明器具１を示している。つまり、図８は、器具本体１００に外郭カバー３００及びフィルタ３５０が取り付けられた状態を示している。なお、フィルタ３５０は、外郭カバー３００の内側に配置されているので見えにくくなっている。
【０１０９】
この状態において、器具本体１００から外郭カバー３００及びフィルタ３５０を取り外す場合、図９に示すように、フィルタ３５０が内側に取り付けられた外郭カバー３００を水平回転させる。本実施の形態では、外郭カバー３００を左回転させる。このとき、外郭カバー３００の内面に設けられた３つの突起３４０は、支持本体１１０の側壁部１１２の外面に設けられた３つのガイド溝１１７に沿って、側壁部１１２の周方向に摺動する。具体的には、外郭カバー３００が回転することで、各突起３４０は、各ガイド溝１１７の第２ガイド部１１７ｂに沿って側壁部１１２の周方向に摺動する。
【０１１０】
次に、図１０に示すように、外郭カバー３００を鉛直下方（Ｚ軸方向のプラス方向）に移動させる。このとき、外郭カバー３００の各突起３４０は、各ガイド溝１１７に沿って鉛直方向に摺動する。具体的には、各突起３４０は、各ガイド溝１１７の第１ガイド部１１７ａに沿って垂直方向に摺動する。これにより、外郭カバー３００を器具本体１００から取り外すことができる。
【０１１１】
その後、図１１に示すように、外郭カバー３００からフィルタ３５０を取り外す。これにより、フィルタ３５０を掃除したり交換したりできる。また、外郭カバー３００も掃除することができる。
【０１１２】
なお、外郭カバー３００を器具本体１００に取り付ける場合は、上記とは逆の手順で行うことができる。つまり、外郭カバー３００にフィルタ３５０を取り付けて、一対の突起３４０がガイド溝１１７に摺動するように外郭カバー３００を天井側方向（Ｚ軸マイナス方向）に移動させ、その後、外郭カバー３００を右回転させることで突起３４０をガイド溝１１７の奥の端部に係止させる。これにより、フィルタ３５０とともに外郭カバー３００を器具本体１００に取り付けることができる。
【０１１３】
［まとめ］
以上説明したように、本実施の形態における照明器具１は、着脱自在に器具本体１００に取り付けられた外郭カバー３００と、着脱自在に外郭カバー３００の内側に取り付けられたフィルタとを備える。
【０１１４】
これにより、器具本体１００から外郭カバー３００を外すだけで、フィルタ３５０の掃除や交換を簡単に行うことができるとともに、外郭カバー３００を簡単に掃除することができる。
【０１１５】
また、本実施の形態における照明器具１において、器具本体１００は、フィルタ３５０を介して第１のカバー通気孔３１０と連通する第１の本体通気孔１１５ａを有しており、外郭カバー３００の外部空間と器具本体１００の内部空間とは、第１のカバー通気孔３１０、フィルタ３５０及び第１の本体通気孔１１５ａを介して空間的につながっている。
【０１１６】
これにより、第１のカバー通気孔３１０及び第１の本体通気孔１１５ａを通る空気に含まれる塵埃を、第１のカバー通気孔３１０と第１の本体通気孔１１５ａとの間のフィルタ３５０によって集塵することができる。
【０１１７】
また、本実施の形態における照明器具１において、第１の本体通気孔１１５ａは、光源１２０を支持する支持本体１１０の側壁部１１２に設けられている。
【０１１８】
これにより、光源１２０から照射される照明光に影響を与えることなく、第１の本体通気孔１１５ａを通過する空気に含まれる塵埃をフィルタ３５０で集塵することができる。
【０１１９】
また、本実施の形態における照明器具１において、第１のカバー通気孔３１０及び第１の本体通気孔１１５ａは、外気を吸い込む吸込口である。
【０１２０】
これにより、第１のカバー通気孔３１０及び第１の本体通気孔１１５ａを通って器具本体１００に吸い込まれる空気に含まれる塵埃をフィルタ３５０によって集塵することができる。
【０１２１】
また、本実施の形態における照明器具１において、器具本体１００は、イオン生成ユニット１６０と送風ファン１７１とを有しており、送風ファン１７１は、フィルタ３５０を介して第１のカバー通気孔３１０及び第１の本体通気孔１１５ａから外気を吸引するとともに、イオン生成ユニット１６０により生成されたイオンを第２の本体通気孔１１５ｂ及び第２のカバー通気孔３２０を介して器具本体１００の外部に送風する。
【０１２２】
これにより、イオン生成ユニット１６０により生成されたイオンは、フィルタ３５０を介さずに器具本体１００の外部に送風される。したがって、広い領域にイオンを効率よく拡散させることができる。
【０１２３】
（変形例）
以上、本発明について実施の形態に基づいて説明したが、本発明は、上記実施の形態に限定されるものではない。
【０１２４】
例えば、上記実施の形態において、イオン生成ユニット１６０は、イオンとしてナノイーを放出したが、これに限るものではなく、プラズマイオン等のその他のイオンを放出してもよいし、ナノイーとプラズマイオン等との複数種のイオンを同時に又は交互に放出してもよい。
【０１２５】
また、上記実施の形態において、光源１２０はＣＯＢタイプのＬＥＤモジュールとしたが、これに限るものではない。例えば、光源１２０として、ＳＭＤタイプのＬＥＤモジュールを用いてもよい。ＳＭＤタイプのＬＥＤモジュールは、樹脂製のパッケージ（容器）の凹部の中にＬＥＤチップを実装して当該凹部内に封止部材（蛍光体含有樹脂）を封入したパッケージ型のＬＥＤ素子（ＳＭＤタイプのＬＥＤ素子）を、１個又は複数個、基板に実装した構成である。
【０１２６】
また、上記実施の形態において、照明器具１は、天井２の天井面２ａに直付け固定される構造であったが、これに限らず、天井２に設置された引っ掛けシーリングに接続固定される構造であってもよいし、一部が天井２に設けられた開口に埋込配設される構造であってもよい。
【０１２７】
また、上記実施の形態において、器具本体及び外郭カバーを備える電気機器として、照明器具１を例示したが、これに限らない。器具本体及び外郭カバーを備える電気機器としては、音声出力部を有する器具本体を備えるスピーカであってもよい。この場合、スピーカは、音声出力部を有する器具本体と、着脱自在に器具本体に取り付けられた外郭カバーと、着脱自在に外郭カバーの内側に取り付けられたフィルタとを備える。この場合でも、器具本体から外郭カバーを外すだけで、外郭カバーを簡単に掃除できるとともにフィルタの掃除や交換を簡単に行うことができる。
【０１２８】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１２９】
１  照明器具（電気機器）
１００  器具本体
１１０  支持本体
１１１  支持部
１１２  側壁部
１１５ａ  第１の本体通気孔
１１５ｂ  第２の本体通気孔
１２０  光源
１６０  イオン生成ユニット
１７１  送風ファン
３００  外郭カバー
３１０  第１のカバー通気孔
３２０  第２のカバー通気孔
３５０  フィルタ
４００  電線
【図１】
2018133256.tif 000003
【図２】
2018133256.tif 000004
【図３】
2018133256.tif 000005
【図４】
2018133256.tif 000006
【図５】
2018133256.tif 000007
【図６】
2018133256.tif 000008
【図７】
2018133256.tif 000009
【図８】
2018133256.tif 000010
【図９】
2018133256.tif 000011
【図１０】
2018133256.tif 000012
【図１１】
2018133256.tif 000013